(57)【要約】【課題】  エアコン室外機の設置において利用する据付け置き台で、樹脂製によって台形の形状を構成した据付け架台で、架台の天板に室外機を設置し、その脚座を即座に固定するものである。よって螺子等を使わず、作業効率を上げる架台を提供するものである。【解決手段】  樹脂製架台の天板の表面に据付け板を設ける。天板と据付け板との間に結束バンドを通す、結束バンドは前後、左右自在にできる事で据付板に設置した室外機の脚座を結束バンドで締付け固定することを特徴とする。【選択図】図１
2009109173.tif 000002
【特許請求の範囲】
【請求項１】
エアコン室外機の左右一対脚を載せる合成樹脂製架台において、前記樹脂製架台の天板上に脚を受ける据付け脚板を一面ないし二面を長手方向に形成して、各々の面の両端を天板上に止めるとともに、天板と据付け脚板の間に結束バンド等のバンド類を貫通するように設けることで、前記室外機の脚を据付け脚板に載せバンド類によって巻き付け結束、固定することで前記樹脂製架台に設置することを特徴とするエアコン室外機の据付け架台。
【発明の詳細な説明】
【技術分野】
【０００１】  本発明は、エアコンの室外機の架台装置において、室外機脚の固定に関するものである。
【背景技術】
【０００２】  従来、エアコン室外機（以後室外機と記載）を据付けにあたり、一般的にコンクリートブロック等が架台として利用されていた。しかしこれらは重量があり持運びに労力を使い作業効率が悪いものであった。【０００３】  そこで、これらのことを解決するものに、以下のようなものが広報によって知られている。
従来には、合成樹脂を素材とした断面略方形状の長尺筒体からなる据付けブロックの天板に該室外機を連結するボルトを係止する溝を長手方向に沿うように凹説してなる室外機の置台において、据付けブロックの底面の下面を粗面となした制振材を成層せしめてなる架台を提供されている。（例えば特許文献１）
また、室外機の前面側と背面側に突出した脚部形状と取付け構造を利用して脚部の支持、固定を簡便にするため、室外機の脚部を差込み固定する差込み部とその差込固定すると共にその露出脚部の保護カバーをして、更に背面側の固定を容易にする支持ピンを具備して一体成形した樹脂製の置台を提供されている。（例えば特許文献２）【０００４】
【特許文献１】  実開１９９３−４５３８９号広報
【特許文献２】  特開１９９９−１４１９２４号広報
【発明の開示】
【発明が解決しようとする課題】
【０００５】  しかしながら、従来の架台にも下記のような問題がある。
特許文献１において、室外機の脚と架台と固定、また取外しにおいて、ボルトにナットを締る、又は緩めるにおいて手間がかかる。特に狭い設置場所の背面の締付けは効率が悪いものである。
特許文献２において、室外機の脚と架台と固定の螺子締めにおいも作業効率が劣る。さらに室外機の奥行きの寸法によっては不向きである。
なお、脚座部分に水分が溜まりやすいことで脚を錆びやすいものである。【０００６】  そこで本発明は、家庭用エアコンの室外機の異なる寸法であっても、両脚部を置台上に設置できる合成樹脂製架台にして、前記樹脂製架台の上面に載せた両脚部を螺子やボルト使わず、支持バンド等を具備して即座に固定して据付けることで、作業効率の向上となるものである。
【課題を解決するための手段】
【０００７】  上記目的を達成するために、本発明は室外機の左右一対脚を載せる合成樹脂架台において、前記樹脂製架台の天板上に脚を受ける据付け脚板の前面側より後面側の一面、ないし前面側と後面側の位置の二面を長手方向に形成して、各々の面の両端お天板上に止めるとともに、天板と据付け脚板の間に結束バンド等のバンド類を貫通するように設けることで、前記室外機の脚を据付け脚板に載せバンド類によって巻き付け結束、固定して前記樹脂製架台に設置することで、取付け、取り外しが容易で作業時間の短縮ができることを特徴とする。
【発明の効果】
【０００８】  本発明は、以上説明したように構成されているので、以下に記載されているような効果を奏する。【０００９】  請求項１記載の発明によれば、本発明の樹脂製架台に設置した外形寸法の異なる室外機の前後脚をバンド類によって強固に結束して、固定することで作業効率の向上を図ることができる。また外形寸法の異なる室外機の脚であっても容易に設置できるものである。
【発明を実施するための最良の形態】
【００１０】  本発明の実施の形態について図面を参照して説明する。【００１１】  本発明に係る室外機の据付け架台の第一実施例を図１〜図４を参照して説明する。
図１は本発明の室外機を載置する樹脂製架台本体の斜視図である。図中の１は室外機１０を載置する樹脂製架台であって、２は樹脂製架台の上面の天板である。
３は天板２の上一面に前面側４より後面側５に向かって長手方向に形成した据付け脚板である。７はリベットであって、据付け脚板３に両端に設けた長方形状のリベット孔８に挿入して、据付け脚板３を天板２に取り付ける。
据付け脚板３を取り付けにあたり、天板２と据付け脚板３をやや間を開けた状態にして、この間にバンド類を通すもので、６は結束バンドである。
また、９は架台１に印字してメジャー代わりに利用するものである。【００１２】  また、図２、図３は樹脂製架台１の天板２の前面側４に据付け脚板３ａと後面側５に据付け脚板３ｂの二面を、天板２上に分離して設けた状態である。止め方法はリベット７を使いて前記に記載したと同様に取り付けて、結束バンド６を天板２ａと据付け脚板３ａ、３ｂの間に通し備えるものである。【００１３】  したがって、上記の図１、及び図２の構成により室外機１０を樹脂製架台１に利用する設置工事にあたり、室外機１０の前、後脚１１の寸法に合わせることから、印字９を参照しながら所定の位置に結束バンド６を備える。この状態で室外機１０の前、後脚１１を据付け脚板３（図１に示す）に載置する。あるいは前面側４と後面側５二面（図２に示す）に分離した据付け脚板３ａ、３ｂに載置する。よって図４に示すごとく即座に前、後脚１１と脚板３（図１に示す）、あるいは前、後脚板３ａ、３ｂ（図２に示す）を結束バンド６によって結束して締付け固定する。このとき据付け脚板３、及び３ａ、３ｂは室外機１０の重みによって、長方形リベット孔８の余裕の間を前後に滑りながら天板２、２ａに接触するまで沈み、全体が固定できるものである。【００１４】  さらに、防振ゴムの厚みにこだわらず、室外機１０の前脚１１、後脚１１ａ下に敷き施工することで容易に振動音を防ぐことができるものである。【００１５】  以上のことから、利用する工具を最小限にしながら室外機１０の設置工事ができ、時間短縮ができる。
また、狭い現場であっても効率を上げることができるものである。【００１６】  なお、樹脂製架台１、及び１ａ、１ｂの天板２、及び２ａ、２ｂの上面、あるいは据付け脚板３、３ａ、３ｂの裏面を粗面にすることで、室外機１０の重量によって結束バンド６が粗面状に挟まれ、ずれる事を防ぐことができるものである。
【図面の簡単な説明】
【００１７】
【図１】  本発明の第一実施例を示す図で、樹脂製架台の天板上に据付け脚板を一面に形成した斜視図である。
【図２】  本発明の第一実施例を示す図で、樹脂製架台の天板上に据付け脚板を前面側と後面側の二面に形成した平面図である。
【図３】  第２図における正面図である。
【図４】  室外機を樹脂製架台に載置して、脚を結束バンドによって結束固定した部分の正面図である。
【符号の説明】
【００１８】１は樹脂製架台                          ２は天板
３、３ａ、３ｂは据付脚板                ４は前面側
５は後面側                              ６は結束バンド
７はリベット                            ８は長方形リベット孔
９は印字                                １０はエアコン室外機
１１は脚
【図１】
2009109173.tif 000003
【図２】
2009109173.tif 000004
【図３】
2009109173.tif 000005
【図４】
2009109173.tif 000006